(57)【要約】【課題】遮光板を用いて、重畳領域における見た目上の違和感をより効果的に抑制する。【解決手段】マルチプロジェクションシステム１の各プロジェクター２は、投射光の投射方向に移動可能に構成され、投射光の周辺を遮光する遮光板３１と、投射した投射画像に形成される重畳領域に応じて、遮光板３１を投射方向に移動する遮光板移動制御部４００と、を備える。【選択図】図５
2012150260.tif 000002
【特許請求の範囲】
【請求項１】
複数のプロジェクターを備え、隣接するプロジェクターから投射される投射画像が重畳領域を形成するように、前記複数のプロジェクターから投射画像に対応する投射光を投射するマルチプロジェクションシステムであって、
前記プロジェクターは、
投射光の投射方向に移動可能に構成され、投射光の周辺を遮光する遮光板と、
投射した投射画像に形成される前記重畳領域に応じて、前記遮光板を前記投射方向に移動する移動制御部と、を備えることを特徴とするマルチプロジェクションシステム。
【請求項２】
前記移動制御部は、
投射画像において前記遮光板による投射光の遮光の影響を受ける範囲と、当該投射画像に形成される前記重畳領域とが対応するように、前記遮光板を前記投射方向に移動することを特徴とする請求項１に記載のマルチプロジェクションシステム。
【請求項３】
前記移動制御部は、
投射される投射画像のサイズ、当該投射画像における前記重畳領域の範囲、及び、前記プロジェクターと投射画像が形成される投射面との距離、に基づいて、前記遮光板の前記投射方向における移動量を決定することを特徴とする請求項１又は２に記載のマルチプロジェクションシステム。
【請求項４】
設定されたズーム率に応じて、投射画像をズーム可能に構成され、
前記移動制御部は、
ズーム率の値、及び、投射される投射画像のサイズに基づいて、前記プロジェクターと投射画像が形成される投射面との距離を算出した上で、
投射される投射画像のサイズ、当該投射画像における前記重畳領域の範囲、及び、前記プロジェクターと投射画像が形成される投射面との距離、に基づいて、前記遮光板の前記投射方向における移動量を決定することを特徴とする請求項３に記載のマルチプロジェクションシステム。
【請求項５】
設定されたズーム率に応じて、投射画像をズーム可能に構成され、
前記移動制御部は、
ズーム率の値、及び、前記プロジェクターと投射画像が形成される投射面との距離に基づいて、投射される投射画像のサイズを算出した上で、
投射される投射画像のサイズ、当該投射画像における前記重畳領域の範囲、及び、前記プロジェクターと投射画像が形成される投射面との距離、に基づいて、前記遮光板の前記投射方向における移動量を決定することを特徴とする請求項３に記載のマルチプロジェクションシステム。
【請求項６】
前記プロジェクターと投射画像が形成される投射面との距離を検出する投射距離取得部を備えることを特徴とする請求項３ないし５のいずれかに記載のマルチプロジェクションシステム。
【請求項７】
前記複数のプロジェクターのそれぞれの移動制御部は、
１の前記投射距離取得部により検出された前記プロジェクターと投射画像が形成される投射面との距離に基づいて、前記遮光板の前記投射方向における移動量を決定することを特徴とする請求項６に記載のマルチプロジェクションシステム。
【請求項８】
前記遮光板は、さらに、前記投射方向と直交する方向に移動して、投射光の周辺の所定範囲を遮光可能に構成されていることを特徴とする請求項１ないし７のいずれかに記載のマルチプロジェクションシステム。
【請求項９】
他のプロジェクターから投射される投射画像との間で重畳領域が形成されるように、投射画像に対応する投射光を投射するプロジェクターであって、
投射光の投射方向に移動可能に構成され、投射光の周辺を遮光する遮光板と、
投射した投射画像に形成される前記重畳領域に応じて、前記遮光板を前記投射方向に移動する移動制御部と、を備えることを特徴とするプロジェクター。
【請求項１０】
隣接するプロジェクターから投射される投射画像が重畳領域を形成するように、複数の前記プロジェクターから投射画像に対応する投射光を投射させる画像投射制御方法であって、
投射光の投射方向に移動可能に構成され、投射光を遮光可能な遮光板を、投射した投射画像に形成される前記重畳領域に応じて前記投射方向に移動し、
前記遮光板により投射光の周辺の所定範囲を遮光しつつ投射画像を投射することを特徴とする画像投射制御方法。
【発明の詳細な説明】
【技術分野】
【０００１】
本発明は、複数のプロジェクターを備えたマルチプロジェクションシステム、このマルチプロジェクションシステムを構成するプロジェクター、及び、このマルチプロジェクションシステムにおける画像投射制御方法に関する。
【背景技術】
【０００２】
従来、複数のプロジェクターにより１つの投射画像を投射するマルチプロジェクションシステムが知られている。この種のシステムでは、互いに隣接するプロジェクターによる投射画像と投射画像との境界が目立たなくなるように、投射画像と投射画像との境界に対応する位置に、これら投射画像が重畳した重畳領域を形成するものがある。さらに、重畳領域における投射画像の輝度が、他の領域における投射画像の輝度よりも高くなり、見た目の悪さが生じることを避けるため、プロジェクターの光束の通過経路上に遮光板を設けて、重畳領域に投射される光を減光する構成が提案されている（例えば、特許文献１参照）。
【先行技術文献】
【特許文献】
【０００３】
【特許文献１】特開２００１−２６８４７６号公報
【発明の概要】
【発明が解決しようとする課題】
【０００４】
上述したマルチプロジェクションシステムでは、遮光板によって投射光の一部を遮光するという特徴を踏まえた上で、遮光板をできるだけ効果的に用いて、重畳領域における見た目上の違和感をより効果的に抑制したいとするニーズがある。
本発明は、上述した事情に鑑みてなされたものであり、遮光板を用いて、重畳領域における見た目上の違和感をより効果的に抑制することを目的とする。
【課題を解決するための手段】
【０００５】
上記目的を達成するために、本発明は、複数のプロジェクターを備え、隣接するプロジェクターから投射される投射画像が重畳領域を形成するように、前記複数のプロジェクターから投射画像に対応する投射光を投射するマルチプロジェクションシステムであって、前記プロジェクターは、投射光の投射方向に移動可能に構成され、投射光の周辺を遮光する遮光板と、投射した投射画像に形成される前記重畳領域に応じて、前記遮光板を前記投射方向に移動する移動制御部と、を備えることを特徴とする。
ここで、遮光板を投射方向に移動することによって、当該遮光板による遮光の影響を受ける範囲を変化させた場合、当該範囲の変化にかかわらず、当該範囲の全域における明るさの変化の態様が、一定である状態が維持される。
これを踏まえ、上述した構成によれば、重畳領域の範囲の状況にかかわらず、遮光板により、重畳領域の全域を、明るさの変化の態様を一定に維持しつつ、適切にその輝度を調整することが可能となり、重畳領域における見た目上の違和感をより効果的に抑制することができる。
【０００６】
また、上記発明のマルチプロジェクションシステムであって、本発明は、前記移動制御部は、投射画像において前記遮光板による投射光の遮光の影響を受ける範囲と、当該投射画像に形成される前記重畳領域とが対応するように、前記遮光板を前記投射方向に移動することを特徴とする。
この構成によれば、移動制御部により、投射画像において遮光板による投射光の遮光の影響を受ける範囲と、投射画像に形成される重畳領域とが対応するような位置に、遮光板が位置することとなり、重畳領域における見た目上の違和感の抑制の確実性を向上できる。
【０００７】
また、上記発明のマルチプロジェクションシステムであって、本発明は、前記移動制御部は、投射される投射画像のサイズ、当該投射画像における前記重畳領域の範囲、及び、前記プロジェクターと投射画像が形成される投射面との距離、に基づいて、前記遮光板の前記投射方向における移動量を決定することを特徴とする。
ここで、投射画像において遮光板による投射光の遮光の影響を受ける範囲と、投射画像に形成される重畳領域とが対応するような遮光板の位置は、投射される投射画像のサイズ、当該投射画像における重畳領域の範囲、及び、プロジェクターと投射画像が形成される投射面との距離に基づいて、一意に定まることが判明した。
これを踏まえ、移動制御部は、投射される投射画像のサイズ、当該投射画像における重畳領域の範囲、及び、プロジェクターと投射画像が形成される投射面との距離を利用して、遮光板の投射方向における移動量を適切に決定可能である。
【０００８】
また、上記発明のマルチプロジェクションシステムであって、本発明は、設定されたズーム率に応じて、投射画像をズーム可能に構成され、前記移動制御部は、ズーム率の値、及び、投射される投射画像のサイズに基づいて、前記プロジェクターと投射画像が形成される投射面との距離を算出した上で、投射される投射画像のサイズ、当該投射画像における前記重畳領域の範囲、及び、前記プロジェクターと投射画像が形成される投射面との距離、に基づいて、前記遮光板の前記投射方向における移動量を決定することを特徴とする。
ここで、ズーム率の値、プロジェクターと投射画像が形成される投射面との距離、及び、投射画像のサイズの値は、いずれか２つの値が定まれば、他の１つの値が定まる、という関係にある。
これを踏まえ、上記構成によれば、移動制御部は、ズーム率を利用して、プロジェクターと投射画像が形成される投射面との距離を求めることが可能となり、例えば、これら値を求めるための特別の機構、装置を設ける必要が無くなり、コストの削減を実現できる。
【０００９】
また、上記発明のマルチプロジェクションシステムであって、本発明は、設定されたズーム率に応じて、投射画像をズーム可能に構成され、前記移動制御部は、ズーム率の値、及び、前記プロジェクターと投射画像が形成される投射面との距離に基づいて、投射される投射画像のサイズを算出した上で、投射される投射画像のサイズ、当該投射画像における前記重畳領域の範囲、及び、前記プロジェクターと投射画像が形成される投射面との距離、に基づいて、前記遮光板の前記投射方向における移動量を決定することを特徴とする。
この構成によれば、移動制御部は、ズーム率を利用して、投射される投射画像のサイズを求めることが可能となり、例えば、これら値を求めるための特別の機構、装置を設ける必要が無くなり、コストの削減を実現できる。
【００１０】
また、上記発明のマルチプロジェクションシステムであって、本発明は、前記プロジェクターと投射画像が形成される投射面との距離を検出する投射距離取得部を備えることを特徴とする。
この構成によれば、投射距離取得部により、自動で、プロジェクターと投射画像が形成される投射面との距離を取得可能となる。
【００１１】
また、上記発明のマルチプロジェクションシステムであって、本発明は、前記複数のプロジェクターのそれぞれの移動制御部は、１の前記投射距離取得部により検出された前記プロジェクターと投射画像が形成される投射面との距離に基づいて、前記遮光板の前記投射方向における移動量を決定することを特徴とする。
この構成によれば、マルチプロジェクションシステムを構成する複数のプロジェクターのうち、１台のプロジェクターが投射距離取得部の機能を実現するための、装置、機構を備えていればよくなり、コストの削減、処理効率の向上を実現できる。
【００１２】
また、上記発明のプロジェクションシステムであって、本発明は、遮光板は、さらに、前記投射方向と直交する方向に移動して、投射光の周辺の所定範囲を遮光可能に構成されていることを特徴とする。
この構成によれば、投射方向だけでなく、当該投射方向と直交する方向に移動させることによっても、遮光板による遮光の影響を受ける範囲を変更することが可能となり、状況に応じて、いずれの手段を利用して遮光板を移動させるのかを選択でき、ユーザーの利便性が向上する。
【００１３】
また、上記目的を達成するために、本発明は、他のプロジェクターから投射される投射画像との間で重畳領域が形成されるように、投射画像に対応する投射光を投射するプロジェクターであって、投射光の投射方向に移動可能に構成され、投射光の周辺を遮光する遮光板と、投射した投射画像に形成される前記重畳領域に応じて、前記遮光板を前記投射方向に移動する移動制御部と、を備えることを特徴とする。
ここで、遮光板を投射方向に移動することによって、当該遮光板による遮光の影響を受ける範囲を変化させた場合、当該範囲の変化にかかわらず、当該範囲の全域における明るさの変化の態様が、一定である状態が維持される。
これを踏まえ、上述した構成によれば、重畳領域の範囲の状況にかかわらず、遮光板により、重畳領域の全域を、明るさの変化の態様を一定に維持しつつ、適切にその輝度を調整することが可能となり、重畳領域における見た目上の違和感をより効果的に抑制することができる。
【００１４】
また、上記目的を達成するために、本発明は、隣接するプロジェクターから投射される投射画像が重畳領域を形成するように、複数の前記プロジェクターから投射画像に対応する投射光を投射させる画像投射制御方法であって、投射光の投射方向に移動可能に構成され、投射光を遮光可能な遮光板を、投射した投射画像に形成される前記重畳領域に応じて前記投射方向に移動し、前記遮光板により投射光の周辺の所定範囲を遮光しつつ投射画像を投射することを特徴とする。
ここで、遮光板を投射方向に移動することによって、当該遮光板による遮光の影響を受ける範囲を変化させた場合、当該範囲の変化にかかわらず、当該範囲の全域における明るさの変化の態様が、一定である状態が維持される。
これを踏まえ、上述した画像投射制御方法によれば、重畳領域の範囲の状況にかかわらず、遮光板により、重畳領域の全域を、明るさの変化の態様を一定に維持しつつ、適切にその輝度を調整することが可能となり、重畳領域における見た目上の違和感をより効果的に抑制することができる。
【発明の効果】
【００１５】
本発明によれば、遮光板を用いて、重畳領域における見た目上の違和感をより効果的に抑制できる。
【図面の簡単な説明】
【００１６】
【図１】実施形態のマルチプロジェクションシステムの概略構成を示す図である。
【図２】マルチプロジェクションシステムによる投射態様を模式的に示す図。
【図３】プロジェクターによる投射態様を模式的に示す図である。
【図４】従来のプロジェクターによる投射態様を模式的に示す図である。
【図５】マルチプロジェクションシステムの機能的構成を示す図である。
【図６】位置テーブルを模式的に示す図である。
【図７】プロジェクターの動作を示すフローチャートである。
【発明を実施するための形態】
【００１７】
以下、図面を参照して本発明の実施形態について説明する。
図１は、本発明を適用した実施形態に係るマルチプロジェクションシステム１の概略構成を示す図である。
この図１に示すマルチプロジェクションシステム１は、複数のプロジェクター２をスクリーンＳＣに正対させて並べて配置し、これら複数のプロジェクター２による投射画像を組み合わせて、タイリング表示による一つの大画面画像をスクリーンＳＣ上に投射するシステムである。
マルチプロジェクションシステム１が備える各プロジェクター２には、投射される画像の画像データをプロジェクター２に出力する画像処理装置１０が、画像送信ケーブル４１を介して接続される。画像処理装置１０は、マルチプロジェクションシステム１全体により投射される上記大画面画像の原画像をプロジェクター２の数に対応する部分画像に分割し、各プロジェクター２が投射すべき部分画像を表す画像データ（部分画像データ）を生成する。そして、画像処理装置１０は生成した各部分画像データを、その部分画像に対応する位置に配置されたプロジェクター２に対し、画像送信ケーブル４１を介して出力する。このため、各々のプロジェクター２は、画像処理装置１０から入力される画像データを投射するだけで、マルチプロジェクションシステム１全体としてタイリングによる画像の投射を行える。
【００１８】
図２は、複数のプロジェクター２を用いた投射態様を模式的に示す図である。
この図２には、４台のプロジェクター２を用い、タイリングによってスクリーンＳＣの投射面に一つの投射画像（結合投射画像１００）を投射する場合を例示する。
以下の説明では、マルチプロジェクションシステム１を構成する複数のプロジェクター２から投射された複数の投射画像がスクリーンＳＣ上で結合されて形成される１つの投射画像のことを「結合投射画像」というものとする。
この例では、スクリーンＳＣの左上にプロジェクター２Ａが投射し、スクリーンＳＣの右上にプロジェクター２Ｂが、左下にプロジェクター２Ｃが、右下にプロジェクター２Ｄが投射する。ここで、タイリングによる境界がスクリーンＳＣで目立たないように、各プロジェクター２Ａ、２Ｂ、２Ｃ、２Ｄが投射する投射画像は少しずつ重ね合わされる。すなわち、プロジェクター２Ａが投射する投射画像１０１と、その右隣にプロジェクター２Ｂが投射する投射画像１０２とは、図中に示すように互いの縁が重ね合わされ、重畳領域１１１が形成されている。同様に、プロジェクター２Ｃが投射する投射画像１０３と、プロジェクター２Ｃの右隣のプロジェクター２Ｄによる投射画像１０４とは重畳領域１１２を形成するよう重ねられる。さらに、投射画像は上下方向にも重ね合わされ、重畳領域１１３、１１４が形成される。
【００１９】
スクリーンＳＣ上において各プロジェクター２Ａ、２Ｂ、２Ｃ、２Ｄが画像を投射する範囲は、スクリーンＳＣと各プロジェクター２Ａ、２Ｂ、２Ｃ、２Ｄとの距離、隣接するプロジェクター２どうしの間隔、及び、スクリーンＳＣに対する各プロジェクター２Ａ、２Ｂ、２Ｃ、２Ｄの光軸の角度により決定される。つまり、各プロジェクター２Ａ、２Ｂ、２Ｃ、２ＤはスクリーンＳＣ上で重畳領域１１１〜１１４を形成する位置及び角度に、予め設置されている。
画像処理装置１０は、結合投射画像１００を４台のプロジェクター２Ａ、２Ｂ、２Ｃ、２Ｄで投射するため、結合投射画像１００を４つの部分画像に分割する。ここで、重畳領域１１１〜１１４が形成されることを加味し、結合投射画像１００の４分の１よりも大きい範囲が、各々のプロジェクター２Ａ、２Ｂ、２Ｃ、２Ｄに割り当られる。そして、画像処理装置１０は、各プロジェクター２Ａ、２Ｂ、２Ｃ、２Ｄの割り当て分の部分画像データを、画像送信ケーブル４１を介して各プロジェクター２Ａ、２Ｂ、２Ｃ、２Ｄに出力する。
【００２０】
画像処理装置１０は、投射画像１０１と投射画像１０２とが、重畳領域１１１において同じ画像となるように部分画像データを生成するので、重畳領域１１１には他の部分と同様の鮮明な画像が投射されている。重畳領域１１２〜１１４でも同様である。しかしながら、重畳領域１１１〜１１４では、複数のプロジェクター２から投射された光が合成されているので、光量が他の部分（重畳領域以外の領域＝非重畳領域）より多く、結果として重畳領域１１１〜１１４の相対的な明るさが他の部分より高くなる。これでは各プロジェクター２の投射画像の境界が目立ち、見た目上の違和感が生じてしまう。これを踏まえ、マルチプロジェクションシステム１は、重畳領域１１１〜１１４の明るさを他の部分と同程度に抑えるべく、遮光装置３を備えている。
【００２１】
すなわち、図１に示すように、プロジェクター２は、投射光を投射する投射光学系２５の周囲に配置された複数の遮光板３１と、これら遮光板３１を駆動する遮光部３０とを有する遮光装置３を備えている。遮光板３１は、不透明または透光性の低い矩形の板であり、プロジェクター２が投射する矩形の投射画像の各辺に対応して、投射光学系２５の上下左右を取り囲むように、４枚設けられている。
詳細には、図１に示すように、投射光学系２５から投射される投射光が向かう方向に対して左方向に設けられた左遮光板３１Ｌと、右方向に設けられた右遮光板３１Ｒと、上方向に設けられた上遮光板３１Ｔと、下方向に設けられた下遮光板３１Ｂと、を備えている。詳細は後述するが、これら遮光板３１は、投射光の一部を遮光することにより、重畳領域における投射画像の明るさを適切に調整し、これにより、重畳領域の見た目上の違和感を抑制する部材であり、特に、左遮光板３１Ｌは、投射画像の正面視左側の辺に対応する重畳領域の明るさを調整し、同様に、右遮光板３１Ｒは投射画像の正面視右側の辺に対応する重畳領域の明るさを、上遮光板３１Ｔは投射画像の正面視上側の辺に対応する重畳領域の明るさを、下遮光板３１Ｂは投射画像の正面視下側の辺に対応する重畳領域の明るさを、それぞれ調整する。
以下、遮光板３１の動きと併せて、遮光板３１により重畳領域における投射画像の明るさが調整される原理を説明する。
【００２２】
図３は、本実施形態に係る遮光板３１の動き、及び、遮光板３１の動きに伴う重畳領域の明るさの変化の説明に用いる図であり、プロジェクター２によってスクリーンＳＣに投射画像を投射している様子を模式的に示している。なお、図３では、説明の便宜のため、プロジェクター２には、左遮光板３１Ｌのみが設けられた状態となっている。
図３に示すように、本実施形態に係るプロジェクター２では、左遮光板３１Ｌは、投射方向（投射光学系２５から出力される投射光の投射方向に対応する方向であり、図３においてＺ方向として矢印で示す方向）に対して、直交する方向（投射画像における左右方向に対応する方向であり、図３においてＸ方向として矢印で示す方向）における位置を維持した状態で、Ｚ方向に移動可能な構成となっている。
なお、以下の説明では、Ｚ方向において、投射光が向かう方向（プロジェクター２からスクリーンＳＣへ向かう方向）を「前方」といい、その逆の方向を「後方」という。
また、以下の説明では、投射画像における上下方向に対応する方向を、図３に示すように、Ｙ方向と表現する。
図３（Ａ）に示すように、プロジェクター２と、スクリーンＳＣとの間に左遮光板３１Ｌが介在し、この左遮光板３１Ｌによって、プロジェクター２からスクリーンＳＣに投射される投射光の周辺の一部が遮光されている場合、左遮光板３１Ｌによる遮光に伴って、スクリーンＳＣに投射される投射画像の正面視での左辺ＬＶに対応する領域に、左遮光影響領域ＥＬが形成される。
図３（Ａ）に示すように、左遮光影響領域ＥＬは、投射画像のＹ方向の全域に延在し、かつ、投射画像の左辺ＬＶから、所定の距離だけＸ方向における右方向へ延在した矩形の領域となっている。
なお、左遮光板３１Ｌは、Ｚ方向に所定の範囲で移動可能であるが、当該所定の範囲のうちいずれの位置に配置された場合であっても、当該左遮光板３１Ｌによって形成される左遮光影響領域ＥＬが、投射画像のＸ方向の全域に延在するように、Ｘ方向に十分な物理的な長さを有している。
ここで、左遮光影響領域ＥＬの投射画像全域における範囲（位置、サイズ）は、左遮光影響領域ＥＬが、投射画像の左辺ＬＶから右方へ向かってどれだけの距離だけ延在しているかによって、一意に、定まる。これを踏まえ、以下の説明では、投射画像全域における左遮光影響領域ＥＬの範囲を、投射画像のＸ方向に延びる辺ｋ２（図３（Ａ））の長さに対する、左遮光影響領域ＥＬのＸ方向に延びる辺ｋ１（図３（Ａ））の長さの割合（％）によって、例えば、「範囲（２０％）」のように表現するものとする。
【００２３】
上述したように、左遮光板３１Ｌは、Ｚ方向に移動可能な構成となっている。ここで、左遮光板３１Ｌが、図３（Ａ）の状態から、Ｚ方向前方へ移動し、図３（Ｂ）の状態へと移行した場合、左遮光板３１Ｌによる投射光の遮光範囲が拡大し、これに伴って、投射画像全域における左遮光影響領域ＥＬの範囲が拡大する。図３の例では、左遮光板３１Ｌが、Ｚ方向前方へ移動したことに伴って、左遮光影響領域ＥＬが、範囲（２０％）から、範囲（３０％）へ拡大する。
このように、左遮光板３１ＬのＺ方向の移動に応じて、左遮光影響領域ＥＬの範囲が変化する。そして、左遮光板３１ＬのＺ方向における移動量と、左遮光影響領域ＥＬの範囲の変化量とは、ほぼ完全な比例関係にあり、左遮光影響領域ＥＬの移動量を調整することにより、左遮光影響領域ＥＬの範囲が調整可能となっている。なお、本実施形態では、詳細は後述するが、左遮光影響領域ＥＬの範囲が重畳領域に応じた適切なものとなるように、左遮光板３１ＬがＺ方向の適切な位置に移動する構成となっている。
【００２４】
ここで、従来は、遮光板３１を、Ｚ方向と直交する方向（Ｘ方向や、Ｙ方向）にスライドさせることにより、遮光板３１による投射光の遮光範囲を調整し、遮光影響領域の範囲を調整していた。
【００２５】
図４は、従来のプロジェクター２に係る左遮光板３１Ｌの動き、及び、左遮光板３１Ｌの動きに伴う重畳領域の明るさの変化の説明に用いる図である。
図４に示すように、従来、左遮光板３１Ｌは、Ｘ方向に移動可能な構成とされており、Ｘ方向における移動量を調整することにより、左遮光板３１Ｌによって形成される左遮光影響領域ＥＬの範囲を調整する構成であった。より具体的には、左遮光板３１Ｌが、図４（Ａ）に示す状態から、Ｘ方向における右方向へ移動し、図４（Ｂ）に示す状態となった場合、これに伴って、左遮光影響領域ＥＬの範囲も拡大し、かつ、左遮光板３１ＬのＸ方向における移動量と、左遮光影響領域ＥＬの範囲の変化量とは、ほぼ完全な比例関係にあるため、これを利用して、Ｘ方向における移動量を調整することにより、左遮光板３１Ｌによって形成される左遮光影響領域ＥＬの範囲を調整していた。
【００２６】
このように、本実施形態と、従来とでは、左遮光板３１Ｌを利用して、左遮光影響領域ＥＬの範囲を変化させる点では、共通しているものの、左遮光影響領域ＥＬにおける投射画像の明るさの変化の態様が異なった状態となる。
詳細には、従来の左遮光板３１Ｌを用いた場合、図４（Ａ）に示すように、左遮光影響領域ＥＬ内に、左辺ＬＶからＸ方向における右方へ向かって所定の範囲だけ延在した黒領域ＢＡと、この黒領域ＢＡの右方に隣接して形成されたグラデーション領域ＧＡとの２つの領域が形成される。
黒領域ＢＡは、左遮光板３１Ｌの遮光により、投射光が投射されないことに起因して形成された領域である。従って、この黒領域ＢＡの全域は、投射光が投射されず、そのことに起因した暗い状態となる。
グラデーション領域ＧＡは、左遮光板３１Ｌにより、投射光が減光されて形成された領域である。このグラデーション領域ＧＡでは、グラデーション領域ＧＡの左端から、右方に向かって、段階的に相対的な投射画像の明るさが明るくなっていく。
そして、従来の左遮光板３１Ｌを、図４（Ａ）に示す状態から、Ｘ方向における右方向へ移動し、図４（Ｂ）に示す状態とした場合、左遮光板３１Ｌの移動に伴って、左遮光影響領域ＥＬの範囲が拡大するが、図４（Ｂ）に示すように、拡大した後の左遮光影響領域ＥＬにおけるグラデーション領域ＧＡの大きさはほとんど変化せず、黒領域ＢＡの大きさが変化する。
以上のように、左遮光板３１ＬをＸ方向に移動させて左遮光影響領域ＥＬの範囲を調整する従来の構成では、左遮光影響領域ＥＬの範囲が変化した場合、グラデーション領域ＧＡの範囲は変化せず、黒領域ＢＡの範囲が変化する。
【００２７】
一方で、本実施形態に係る左遮光板３１Ｌを用いた場合、図３（Ａ）に示すように、左遮光影響領域ＥＬの全域が、グラデーション領域ＧＡとなる。上述したように、このグラデーション領域ＧＡでは、投射画像の左辺ＬＶから右方へ向かって段階的に明るさが明るくなった状態となる。
そして、本実施形態に係る左遮光板３１Ｌを、図３（Ａ）に示す状態から、Ｚ方向前方へ移動し、図３（Ｂ）に示す状態とした場合、左遮光板３１Ｌの移動に伴って、左遮光影響領域ＥＬの範囲が拡大するが、図３（Ｂ）に示すように、拡大した後の左遮光影響領域ＥＬは、その全域がグラデーション領域ＧＡとなる。
すなわち、本実施形態のように、左遮光板３１ＬをＺ方向に移動させて左遮光影響領域ＥＬの範囲を調整する構成では、左遮光影響領域ＥＬの全域がグラデーション領域ＧＡである状態が維持されたまま、左遮光影響領域ＥＬの範囲が変化し、この点が、従来と相違する。
【００２８】
ここで、左遮光影響領域ＥＬは、投射画像の左辺ＬＶに対応する重畳領域における明るさを調整し、重畳領域における見た目上に違和感を抑制することを目的として、左遮光板３１Ｌによって形成された領域である。
従って、左遮光影響領域ＥＬでは、できるだけ見た目上の違和感が生じないような態様で、明るさが調整されることが求められる。
ここで、従来の左遮光板３１Ｌを用いたときのように、左遮光影響領域ＥＬに、黒領域ＢＬと、グラデーション領域ＧＡとが形成される場合は、１つの左遮光影響領域ＥＬに、明るさの変化の態様が異なる２つの領域が内在している状況となり、これに起因して、例えば、左遮光影響領域ＥＬにおける投射画像の明るさに偏りが生じる等、見た目の違和感の要因となるような事象が発生する可能性がある。
特に、重畳領域は、１の投射画像と、他の投射画像とが重なって形成された領域であり、１の投射画像における黒領域ＢＡとグラデーション領域ＧＡとの位置関係、及び、他の投射画像における黒領域ＢＡとグラデーション領域ＧＡとの位置関係によっては、重畳領域における明るさの変化が不均一となる事態が生じる可能性がある。
一方で、本実施形態に係る左遮光板３１Ｌを用いた場合、左遮光影響領域ＥＬの範囲の状態にかかわらず、左遮光影響領域ＥＬの全域がグラデーション領域ＧＡとなるため、左遮光影響領域ＥＬの全域において明るさの変化の態様が均一となり、明るさの偏りが生じにくく、見た目の違和感が生じにくい。
さらに、重畳領域は、１の投射画像と、他の投射画像とが重なって形成された領域であるが、重畳領域では、１の画像の投射画像の明るさが所定の方向へ向かって明るくなるのと反比例して、他の画像の投射画像の明るさが、当該所定の方向へ向かって暗くなる状態となり、明るさの変化が不均一となる事態が生じにくい。
【００２９】
以上を踏まえ、本実施形態では、左遮光板３１ＬをＺ方向に移動することにより、左遮光影響領域ＥＬの範囲を変化させる構成とし、これにより、左遮光影響領域ＥＬに対応する重畳領域における見た目上の違和感を効果的に抑制している。
すなわち、本実施形態では、左遮光板３１ＬをＺ方向に移動することにより、左遮光影響領域ＥＬの範囲を変化させる構成とした場合、左遮光影響領域ＥＬの変化にかかわらず、左遮光影響領域ＥＬの全域がグラデーション領域ＧＡである状態が維持されるという現象が生じることに着目し、当該現象を利用して、効果的に、左遮光影響領域ＥＬに対応する重畳領域における見た目上の違和感を抑制している。
特に、本実施形態では、詳細は後述するが、スクリーンＳＣ上に形成されている重畳領域の態様に応じて、当該重畳領域に対応した左遮光影響領域ＥＬが形成されるように、自動で、左遮光板３１Ｌが移動する構成とされ、重畳領域の見た目上の違和感の抑制の確実性を向上し、かつ、ユーザーの利便性を向上している。
以上、左遮光板３１Ｌを例にして、遮光板３１の構成を説明したが、他の遮光板３１も左遮光板３１Ｌと同様の構成を有し、かつ、同様の動作をする。
【００３０】
なお、本実施形態では、遮光板３１のそれぞれは、Ｚ方向だけでなく、従来と同様、Ｚ方向に直交する方向であるＸ方向、Ｙ方向にスライド可能に構成されており、遮光板３１のそれぞれをスライドさせることにより、投射画像の各辺に対応する遮光影響領域の範囲を変化させることもできるようになっている。これにより、ユーザーは、状況に応じて、Ｘ、Ｙ方向に遮光板３１をスライドさせることによって遮光影響領域の範囲を変化させることができ、ユーザーの利便性が向上する。
【００３１】
図１に示すように、プロジェクター２は、それぞれ通信回線４３を介してネットワーク５に接続されている。ここで、通信回線４３はプロジェクター２をネットワーク５に有線接続するケーブルであってもよいし、プロジェクター２に外部接続または内蔵された無線通信モジュールにより形成される無線通信回線であってもよい。ネットワーク５は、有線又は無線通信回線により構成されるＬＡＮ（Local Area Network）等の双方向通信可能なネットワークである。
図１に示すように、マルチプロジェクションシステム１を構成する複数のプロジェクター２のうち、中央に配置されているプロジェクター２Ｑは、距離センサー２２２を備えている。距離センサー２２２は、プロジェクター２Ｑと、スクリーンＳＣの投射面との間の距離を検出する赤外線センサーである。この距離センサー２２２は、マルチプロジェクションシステム１を構成する複数のプロジェクター２のうち、いずれかのプロジェクター２が備えていればよく、例えば、図２の例では、図示は省略したが、４台のプロジェクター２のうち、いずれかのプロジェクター２が距離センサー２２２を備えていればよい。
【００３２】
図５は、マルチプロジェクションシステム１の各部の機能的構成を示すブロック図である。図５に示すプロジェクター２は、距離センサー２２２を備えるプロジェクター２である。
画像処理装置１０は、画像データ取得部１１と、投射画像情報取得部１２と、部分画像データ生成部１３と、を備えている。
画像データ取得部１１は、内蔵する記憶装置に記憶した画像データまたは外部の映像ソース機器から入力される画像データを取得し、取得した画像データを部分画像データ生成部１３に出力する。画像データ取得部１１が取得する画像データは、結合投射画像に係る画像データである。
【００３３】
投射画像情報取得部１２は、マルチプロジェクションシステム１を構成するプロジェクター２のそれぞれが投射する投射画像のそれぞれについて、各投射画像のサイズ（スクリーンＳＣに投射画像が投射されたときの画角、又は、縦、横の長さ）を示す情報、及び、結合投射画像における各投射画像の位置を示す情報を取得し、部分画像データ生成部１３に出力する。
詳述すると、図２を用いて説明したように、マルチプロジェクションシステム１を構成する各プロジェクター２のそれぞれは、各プロジェクター２が投射する投射画像が、スクリーンＳＣにおける所定の位置に、所定の大きさで表示されるように、事前に適切に配置されている。従って、スクリーンＳＣに対して、各プロジェクター２が適切に配置された後に、各プロジェクター２から投射される投射画像のサイズ、及び、結合投射画像における位置は一定である。そして、本実施形態では、画像処理装置１０には、キーボード等の入力デバイスと、各種情報を表示可能な表示パネルが接続されており、ユーザーが、各プロジェクター２から投射される投射画像のサイズ、及び、結合投射画像における位置のそれぞれの値を入力可能な構成となっている。投射画像情報取得部１２は、入力された情報に基づいて、投射画像のサイズを示す情報、及び、結合投射画像における位置を示す情報を取得し、取得したこれら情報を部分画像データ生成部１３に出力する。
なお、画像処理装置１０に、スクリーンＳＣの投射面を撮影可能なカメラ等の撮像装置を接続し、投射画像情報取得部１２は、撮像装置が生成したスクリーンＳＣの投射面に係る画像データに基づいて、光学的な観点から分析を行い、各プロジェクター２の投射画像のサイズ、及び、結合投射画像における位置を取得するようにしてもよい。
【００３４】
部分画像データ生成部１３は、画像データ取得部１１から入力された結合投射画像に係る画像データ、及び、投射画像情報取得部１２から入力された各プロジェクター２が投射する投射画像のサイズを示す情報、及び、結合投射画像における位置を示す情報に基づいて、各プロジェクター２に出力する画像データである部分画像データを生成する。
詳述すると、部分画像データ生成部１３は、統合投射画像に対する投射画像の位置、大きさの関係が、統合投射画像に係る画像データに対する投射画像の画像データ（部分画像データ）の位置、大きさの関係となるように、統合投射画像に係る画像データを切り出して、各プロジェクター２に出力すべき部分画像データを生成する。これら各部分画像データに基づいて、各プロジェクター２が投射画像を投射した場合、投射画像のそれぞれが、スクリーンＳＣ上の所定の位置に形成され、重複部分に適切に重畳領域が形成された上で、スクリーンＳＣ上に結合投射画像が形成される。
部分画像データ生成部１３は、部分画像データを生成した後、各プロジェクター２の画像受信部２１４に対して、対応する部分画像データを出力する。なお、個々のプロジェクター２に専用の画像送信ケーブル４１がプロジェクター２の数だけ画像処理装置１０に接続された構成としても良いし、複数のプロジェクター２が共通の画像送信ケーブル４１を介して画像処理装置１０に接続された構成としても良い。後者の構成では、画像処理装置１０は、プロジェクター２の識別情報を付加して部分画像データを送信し、プロジェクター２は、自身の識別情報が付加された部分画像データのみを受信して投射すれば良い構成となっている。
【００３５】
プロジェクター２は、リフレクター２３を備えたランプ２２と、ランプ２２が発した光を変調する光変調装置２４と、光変調装置２４によって変調された光をスクリーンＳＣに向けて投射する投射光学系２５と、これらの各部を制御する制御装置２１とを本体２０に具備している。
光源としてのランプ２２は、例えば、キセノンランプ、超高圧水銀ランプ、ＬＥＤ等を用いることができ、リフレクター２３の他に、投射光の光学特性を高めるためのレンズ群（図示略）、偏光板、補助リフレクター（図示略）等を備えたものとしてもよい。また、ランプ２２及び光変調装置２４の組み合わせによる構成を、レーザー光源とレーザー光を走査する走査機構とによって置き換えてもよい。
光変調装置２４は、例えば、ＲＧＢの各色に対応した３枚の透過型または反射型の液晶ライトバルブを用いた方式、１枚の液晶ライトバルブとカラーホイールを組み合わせた方式、３枚のデジタルミラーデバイスを用いた方式、１枚のデジタルミラーデバイスとカラーホイールを組み合わせたＤＭＤ方式等により構成される。また、投射光学系２５は、光変調装置２４により変調されたＲＧＢ３色の変調光を合成するプリズム２６と、プリズム２６により合成された投射画像をスクリーンＳＣで結像させるレンズ２７を備えている。プリズム２６は光変調装置２４の構成に合わせて、１または複数の光学プリズムやミラーを組み合わせて構成される。本実施形態では光変調装置２４として３枚の液晶ライトバルブを備え、これら３枚の液晶ライトバルブにより変調された光をプリズム２６で合成する構成とする。なお、光変調装置２４として１枚のみの液晶ライトバルブまたはＤＭＤを用いる場合には、プリズム２６に相当する部材は不要である。
【００３６】
レンズ２７は、少なくとも、複数枚のレンズによって構成されたズームレンズを備えている。このズームレンズは、設定されたズーム倍率に応じて、後述するズームレンズ駆動部２２６により、所定の位置に移動する構成となっている。
投射光学系２５が投射光を投射する投射窓２０Ａの周辺には遮光板３１が配置されており、制御装置２１は、これら遮光板３１のそれぞれを独立して移動する遮光部３０を備えている。
【００３７】
制御装置２１は、ＣＰＵや、ＲＯＭ、ＲＡＭその他の周辺回路を備え、プロジェクター２の各部を中枢的に制御する制御部２１１と、制御部２１１の制御の下、ランプ２２に電力を供給してランプ２２を点灯／消灯させる光源駆動部２１３と、を備えている。
また、制御装置２１は、通信制御部２１２を備えている。通信制御部２１２は、制御部２１１の制御の下、ネットワーク５に接続された各機器と所定の通信規格に準拠した通信を行う。
また、制御装置２１は、画像処理装置１０から入力される部分画像データを受信する画像受信部２１４と、制御部２１１の制御の下、画像受信部２１４が受信した部分画像データを解析して、光変調装置２４の表示画素数に対応した投射画像データを生成し、この投射画像データに基づいて光変調装置２４を駆動する駆動信号を生成する画像処理部２１７と、制御部２１１の制御の下、画像処理部２１７が生成した駆動信号に基づいて光変調装置２４を駆動し、投射光を変調させる光変調装置駆動部２１８と、を備えている。
【００３８】
また、制御装置２１は、制御部２１１の制御に従って、遮光部３０を動作させるための駆動信号を生成する遮光板移動制御部４００と、遮光板移動制御部４００が生成した駆動信号に基づいて遮光部３０を駆動する遮光装置駆動部２２０と、を備えている。遮光板移動制御部４００の動作については、後に詳述する。
遮光部３０は、遮光板３１のそれぞれについて、各遮光板３１をＺ方向に移動させるためのステッピングモーターと、Ｘ、Ｙ方向に移動させるためのステッピングモーターとを備えている。
遮光装置駆動部２２０は、遮光部３０が備えるステッピングモーターのいずれかに対して駆動パルスを出力することで、遮光装置３の遮光板３１をＺ方向に移動させ、また、遮光板３１をＸ、Ｙ方向にスライド移動させる。
なお、遮光部３０がモーターまたはアクチュエーターと、遮光板３１の位置を検出するリニアエンコーダーとを備えた構成としてもよい。この場合、遮光装置駆動部２２０は、遮光部３０のモーターまたはアクチュエーターに駆動電流を供給すると共に、リニアエンコーダーにより遮光板３１の位置を検出する。
【００３９】
制御部２１１には、入力部２２４が接続されている。入力部２２４は、プロジェクター２に設けられた各種操作スイッチに接続されており、操作スイッチに対する操作を検出し、制御部２１１に出力する。ユーザーは、操作スイッチを操作することにより、少なくとも、ズーム倍率を設定可能である。
また、制御部２１１には、各種データを書き換え可能に不揮発的に記憶する記憶部２２５が接続されている。この記憶部２２５には、後述する位置テーブル２２７が記憶されている。
また、制御装置２１は、ズームレンズ駆動部２２６を備えている。ズームレンズ駆動部２２６は、制御部２１１の制御の下、設定されたズーム倍率となるように、レンズ２７のズームレンズを所定量だけ移動させる。
【００４０】
ところで、上述したように、本実施形態では、遮光板３１がＺ方向に移動することにより、遮光板３１によって形成される遮光影響領域の範囲が変化する構成となっている。ここで、遮光影響領域は、投射画像に形成される重畳領域における見た目上の違和感を抑制するために、遮光板３１によって形成される領域であるため、投射画像において、遮光影響領域と、重畳領域とが一致することが求められる。
これを踏まえ、本実施形態では、遮光板移動制御部４００が、マルチプロジェクションシステム１の状況に応じて、遮光影響領域と、重畳領域とが一致するように、遮光板３１を自動で適切な位置に移動させる構成となっており、これにより、重畳領域の見た目上の違和感の抑制の確実性を向上し、かつ、ユーザー自身が、遮光板３１の位置を調整する必要性を排除し、ユーザーの利便性を向上している。
以下、まず、遮光板３１の位置を決定するために必要な条件について説明した後、遮光板移動制御部４００の動作についてフローチャートを用いて説明する。
【００４１】
まず、遮光板３１の位置を決定するために必要な条件について説明する。
発明者らは、実験等を通して、遮光影響領域と、重畳領域とを一致させるような、Ｚ方向における遮光板３１の位置は、プロジェクター２によって投射される投射画像のサイズ、当該投射画像における重畳領域の範囲、及び、プロジェクター２とスクリーンＳＣの投射面との距離（以下、「投射距離」という）、の３つの値が定まれば、一意に定まることを見出した。
これを踏まえ、本実施形態では、プロジェクター２ごとに、遮光板３１のＺ方向における位置と、プロジェクター２によって投射される投射画像のサイズ、当該投射画像における重畳領域の範囲、及び、投射距離と、を対応づけて記憶する位置テーブル２２７が記憶部２２５に記憶されている。
【００４２】
図６は、位置テーブル２２７のデータ構造を模式的に示す図である。
位置テーブル２２７は、投射画像のサイズ（図６の例では画角）が取り得る値の範囲で、投射画像のサイズごとに生成され、記憶されている。例えば、投射画像のサイズが、１００インチの画角と、１５０インチの画角を取り得る場合は、それぞれの画角に対応する２つの位置テーブル２２７が生成され、記憶部２２５に記憶される。図６の例では、１００インチの画角に対応する位置テーブル２２７を一例として模式的に示している。
また、位置テーブル２２７は、プロジェクター２に設けられた４つの遮光板３１のそれぞれに対応して生成されている。図６が示す位置テーブル２２７は、遮光板３１のうち、左遮光板３１Ｌに係る位置テーブル２２７である。
【００４３】
図６に示すように、１００インチの画角に対応する位置テーブル２２７は、マトリックス表となっており、投射距離として取り得る値ごとに行が形成されると共に、投射画像における重畳領域（この場合は、投射画像の左辺に対応する重畳領域）の範囲として取り得る値ごとに列が形成されている。そして、位置テーブル２２７において、１の投射距離の値に係る行と、１の重畳領域の範囲の値に係る列とが交差する欄には、画角が１００インチである場合において、投射距離の値が当該１の投射距離の値であり、かつ、重畳領域の範囲の値が当該１の重畳領域の範囲の値である場合に、左遮光影響領域ＥＬと、重畳領域とを一致させるような左遮光板３１Ｌの位置を示す情報が格納されている。なお、図６では、左遮光板３１Ｌの位置は、所定の基準位置からの離間量として表現されている。
この位置テーブル２２７の各欄の値は、プロジェクター２ごとに、事前の実験、シミュレーションが行われ、当該実験、シミュレーションの結果に基づいて、決定される。このように、プロジェクター２ごとに、事前の実験、シミュレーションに基づいて、位置テーブル２２７の各欄に格納される情報を決定するのは、プロジェクター２の個体差に起因して、遮光板３１の位置が異なるからである。
次いで、遮光板移動制御部４００の動作について、遮光板移動制御部４００が備える投射画像サイズ取得部４０１、重畳領域範囲取得部４０２、投射距離取得部４０３、及び、移動量決定部４０４と併せて説明する。
【００４４】
図７は、部分画像データに基づいて、部分画像データに係る投射画像が投射される際に、左遮光板３１Ｌを移動させる際の遮光板移動制御部４００の動作を示すフローチャートである。
なお、図７では、一例として、左遮光板３１Ｌを移動させる際の遮光板移動制御部４００の動作を説明するが、遮光板移動制御部４００は、他の遮光板３１についても、同様の動作を実行して、遮光板３１を移動させる。
また、このフローチャートにおいて、投射画像サイズ取得部４０１、重畳領域範囲取得部４０２、投射距離取得部４０３、及び、移動量決定部４０４の各機能は、ＣＰＵがプログラムを実行する等、ハードウェアとソフトウェアとの協働により実現される。
図７のフローチャートに示す動作は、プロジェクター２によって投射される投射画像のサイズ、当該投射画像における重畳領域の範囲、及び、投射距離を取得し、取得したこれら情報に基づいて、左遮光板３１Ｌの移動量を決定し、決定した移動量に応じて、遮光板３１を移動させることを目的として実行される動作である。
【００４５】
図７に示すように、まず、遮光板移動制御部４００の投射画像サイズ取得部４０１は、投射画像のサイズを取得する（ステップＳＡ１）。
具体的には、投射画像サイズ取得部４０１は、投射画像情報取得部１２と通信可能に構成されており、投射画像情報取得部１２と通信して、投射画像のサイズを示す情報を取得する。
なお、投射画像サイズ取得部４０１は、以下の方法によっても、投射画像のサイズを取得可能である。
すなわち、ズーム率の値、投射距離の値、及び、投射画像のサイズの値は、いずれか２つの値が定まれば、他の１つの値が定まる、という関係にある。これを踏まえ、投射画像のサイズの取得に際し、投射画像サイズ取得部４０１は、制御部２１１からズーム率の値を取得すると共に、後述する投射距離取得部４０３から投射距離の値を取得し、これら値を用いて、所定の算出方法により、投射画像のサイズを取得する。この方法により投射画像のサイズを取得する構成とすれば、投射画像サイズ取得部４０１と投射画像情報取得部１２との間で、所定のプロトコルに準拠した通信を行う必要が無くなり、その分、開発容易性が向上する。
【００４６】
次いで、遮光板移動制御部４００の重畳領域範囲取得部４０２は、プロジェクター２が投射する投射画像において、左辺に対応する重畳領域の範囲を取得する（ステップＳＡ２）。左辺に対応する重畳領域は、左遮光板３１Ｌによって形成される左遮光影響領域ＥＬに対応する領域である。
具体的には、重畳領域範囲取得部４０２は、投射画像情報取得部１２と通信可能な構成となっており、投射画像情報取得部１２と通信して、各プロジェクター２によって投射される投射画像の位置を示す情報、及び、各投射画像のサイズを示す情報を取得する。
ここで、１の投射画像と、他の投射画像とが重なって形成される重畳領域について、当該１の投射画像における重畳領域の範囲は、１の投射画像のサイズ、及び、結合投射画像における位置と、他の投射画像のサイズ、及び、結合投射画像における位置とによって、一意に定まる。これを踏まえ、重畳領域範囲取得部４０２は、投射画像情報取得部１２から取得した情報のうち、自身のプロジェクター２によって投射される投射画像のサイズ、及び、結合投射画像における位置と、当該投射画像と重畳領域において重なる他の投射画像のサイズ、及び、結合投射画像における位置とに基づいて、これら投射画像が重なることによって形成される重畳領域の、当該投射画像における範囲を算出し、取得する。
なお、入力部２２４に接続された各種操作スイッチを操作して、ユーザーが、投射画像における重畳画像の範囲を示す値を入力可能な構成とし、重畳領域範囲取得部４０２は、ユーザーによって入力された情報に基づいて、投射画像における重畳画像の範囲を取得する構成としてもよい。
【００４７】
次いで、遮光板移動制御部４００の投射距離取得部４０３は、プロジェクター２と、スクリーンＳＣの投射面との距離である投射距離を取得する（ステップＳＡ３）。
具体的には、投射距離取得部４０３が、距離センサー２２２を有するプロジェクター２に係るものである場合、投射距離取得部４０３は、距離センサー２２２の検出値に基づいて、投射距離を演算により算出して、投射距離を取得する。
上述したようにマルチプロジェクションシステム１を構成するプロジェクター２のうち、１台のプロジェクター２のみが距離センサー２２２を有しているが、距離センサー２２２を有していないプロジェクター２に係る投射距離取得部４０３は、以下のようにして、投射距離を取得する。
すなわち、距離センサー２２２を有するプロジェクター２に係る投射距離取得部４０３は、投射距離を取得した後、制御部２１１と連携し、ネットワーク５を介して、他のプロジェクター２の全てに投射距離の値を示す情報が含まれるデータを出力する構成となっている。そして、距離センサー２２２を有していない投射距離取得部４０３のそれぞれは、ネットワーク５を介して入力されたデータに基づいて、投射距離を取得する。なお、プロジェクター２のそれぞれは、スクリーンＳＣに対して並行に配置されているため、各プロジェクター２と、スクリーンＳＣとの距離は、同等であり、各プロジェクター２は、他のプロジェクター２における投射距離の値を、自身における投射距離の値として援用可能である。
このように、マルチプロジェクションシステム１を構成するいずれかのプロジェクター２に距離センサー２２２を設け、全てのプロジェクター２に係る投射距離取得部４０３が、当該距離センサー２２２の検出値に基づいて算出された投射距離を利用して、投射距離を取得する構成とすることにより、マルチプロジェクションシステム１を構成するプロジェクター２のうち、１台のプロジェクター２にのみ距離センサー２２２を設けるだけで、各プロジェクター２において適切に投射距離を取得できることとなり、コストの削減を実現できると共に、処理効率が向上する。
なお、投射距離取得部４０３は、以下のようにして、投射距離を取得するようにしてもよい。
すなわち、上述したように、ズーム率の値、投射距離の値、及び、投射画像のサイズの値は、いずれか２つの値が定まれば、他の１つの値が定まる、という関係にあるため、これを利用して、投射距離の取得に際し、投射距離取得部４０３は、制御部２１１からズーム率の値を取得すると共に、上述した投射画像サイズ取得部４０１から投射画像のサイズを取得し、これら値を用いて、所定の算出方法により、投射距離を算出し、取得するようにしてもよい。また、レンズ２７に含まれる、投射画像の焦点調整を行うフォーカスレンズにおける焦点の調整に関する情報を取得可能に構成し、当該情報等を利用して、投射距離を算出するようにしてもよい。これらの方法により投射距離を取得する構成とすれば、距離センサー２２２を用いることなく投射距離の取得が可能となり、コストの削減等を実現できる。
【００４８】
次いで、遮光板移動制御部４００の移動量決定部４０４は、ステップＳＡ１で取得した投射画像のサイズ、ステップＳＡ２で取得した重畳領域の範囲、及び、ステップＳＡ３で取得した投射距離に基づいて、左遮光板３１Ｌによって形成される左遮光影響領域ＥＬと、重畳領域とが一致するような位置に左遮光板３１Ｌを移動させるための移動量を決定する（ステップＳＡ４）。
具体的には、移動量決定部４０４は、投射画像のサイズに基づいて、位置テーブル２２７のうち、当該投射画像のサイズに対応する位置テーブル２２７を特定する。上述したように、位置テーブル２２７は、投射画像のサイズが取り得る値の範囲で、投射画像のサイズごとに生成され、記憶されている。次いで、移動量決定部４０４は、特定した位置テーブル２２７を参照し、重畳領域の範囲と、投射距離とに基づいて、移動量を決定する。上述したように、位置テーブル２２７において、移動量は、所定の基準位置からの離間量として表現されている。
【００４９】
次いで、遮光板移動制御部４００は、ステップＳＡ４で決定した移動量だけ、左遮光板３１Ｌを移動させるための駆動信号を遮光装置駆動部２２０に出力する（ステップＳＡ５）。
遮光装置駆動部２２０は、入力された駆動信号に基づいて、遮光部３０が備えるステッピングモーターであって、左遮光板３１ＬをＺ方向に移動させるためのステッピングモーターに対して駆動パルスを出力することで、遮光装置３の遮光板３１をＺ方向に移動させる。これにより、左遮光板３１Ｌは、当該左遮光板３１Ｌによって形成される左遮光影響領域ＥＬと、重畳領域とが一致するような位置に、位置することとなる。
【００５０】
以上説明したように、本実施形態に係るプロジェクター２は、投射光の投射方向（Ｚ方向）に移動可能に構成され、投射光の周辺を遮光する遮光板３１と、投射画像に形成される重畳領域に応じて、遮光板３１をＺ方向に移動する遮光板移動制御部４００と、を備える。
これによれば、重畳領域の範囲の状況にかかわらず、遮光板３１により、重畳領域の全域を、明るさの変化の態様を一定に維持しつつ、適切にその輝度を調整することが可能となり、重畳領域における見た目上の違和感を効果的に抑制することができる。
【００５１】
また、本実施形態によれば、遮光板移動制御部４００は、投射画像において遮光板３１による投射光の遮光の影響を受ける範囲である遮光影響領域と、当該投射画像に形成される重畳領域とが対応するように、遮光板３１をＺ方向に移動する。
これによれば、遮光板移動制御部４００により、投射画像において、遮光影響領域と、投射画像に形成される重畳領域とが対応するような位置に、遮光板３１が位置することとなり、重畳領域における見た目上の違和感の抑制の確実性を向上できる。
【００５２】
また、本実施形態によれば、遮光板移動制御部４００は、投射される投射画像のサイズ、当該投射画像における重畳領域の範囲、及び、投射距離、に基づいて、遮光板３１のＺ方向における移動量を決定する。
これによれば、遮光板移動制御部４００は、投射される投射画像のサイズ、当該投射画像における重畳領域の範囲、及び、投射距離を利用して、遮光板３１のＺ方向における移動量を適切に決定可能である。
【００５３】
また、本実施形態に係るプロジェクター２は、設定されたズーム率に応じて、投射画像をズーム可能に構成されている。そして、遮光板移動制御部４００は、ズーム率の値、及び、投射される投射画像のサイズに基づいて、投射距離を算出してもよく、また、ズーム率の値、及び、投射距離に基づいて、投射される投射画像のサイズを算出してもよい。
これによれば、遮光板移動制御部４００は、ズーム率を利用して、投射距離、又は、投射される投射画像のサイズを求めることが可能となり、例えば、これら値を求めるための特別の機構、装置を設ける必要が無くなり、コストの削減を実現できる。
【００５４】
また、本実施形態に係るプロジェクター２は、投射距離を検出する投射距離取得部４０３を備えている。
これによれば、投射距離取得部４０３により、自動で、投射距離を取得可能となる。
【００５５】
また、本実施形態では、マルチプロジェクションシステム１を構成するいずれかのプロジェクター２に距離センサー２２２を設け、全てのプロジェクター２に係る投射距離取得部４０３が、当該距離センサー２２２の検出値に基づいて算出された投射距離を利用して、投射距離を取得する構成となっている。
この構成により、マルチプロジェクションシステム１を構成するプロジェクター２のうち、１台のプロジェクター２にのみ距離センサー２２２を設けるだけで、各プロジェクター２において適切に投射距離を取得できることとなり、コストの削減を実現できると共に、処理効率が向上する。
【００５６】
また、本実施形態では、遮光板３１は、さらに、Ｘ、Ｙ方向に移動して、投射光の周辺の所定範囲を遮光可能に構成されている。
これによれば、Ｚ方向だけでなく、Ｘ、Ｙ方向に移動させることによっても、遮光板３１による遮光の影響を受ける範囲を変更することが可能となり、状況に応じて、いずれの手段を利用して遮光板を移動させるのかを選択でき、ユーザーの利便性が向上する。
【００５７】
なお、上述した実施の形態は、あくまでも本発明の一態様を示すものであり、本発明の範囲内で任意に変形および応用が可能である。
例えば、上述した実施形態では、マルチプロジェクションシステム１は、スクリーンＳＣの正面側にプロジェクター２を配置し、スクリーンＳＣの正面に投射画像を投射する構成として説明したが、本発明はこれに限定されず、各プロジェクター２をスクリーンＳＣの背面側に配置して、スクリーンＳＣの背面に投射画像を投射する構成としてもよい。
また、上述した実施形態では、プロジェクター２が投射画像の投射光を発する投射光学系２５を備えた本体２０の前面に、遮光板３１を設けた構成について説明したが、本発明はこれに限定されるものではなく、遮光板３１をプロジェクター２の本体２０に内蔵して、投射光学系２５を通る投射光を遮る位置、或いは投射光学系２５と投射窓２０Ａとの間に設けた上で、遮光板３１をＺ方向に移動させる構成としてもよい。
さらに、マルチプロジェクションシステム１が備えるプロジェクター２の数は任意である。
また、本実施形態では、距離センサー２２２は、赤外線センサーであったが、光ラインセンサーやレーザーを用いた位相差センサー等としてもよい。また、プロジェクター２から投射された所定の測定用パターンをカメラ等の撮像装置によって撮像し、撮像画像を解析することで投射距離を測定する構成としてもよい。
また、本発明は、以下のような投射光学系を有するプロジェクターにも適用可能である。
すなわち、レンズと、反射ミラー（例えば、入射光の広角化が可能な曲面ミラー）と、を備え、レンズを介して入射した光を反射ミラーによって反射し、当該反射ミラーの反射光を、投射光として、スクリーンに投射する投射光学系を有するプロジェクターに対しても本発明を適用可能である。この場合、レンズと、反射ミラーとの間に遮光板を設け、レンズから反射ミラーに向かう光の方向（この場合、当該方向が投射方向に該当する）に遮光板を移動させて、遮光影響領域を調整する構成としてもよい。また、反射ミラーの反射光を遮ることが可能な位置に遮光板を設け、反射ミラーからスクリーンに向かう方向（この場合、当該方向が投射方向に該当する）に遮光板を移動させて、遮光影響領域を調整する構成としてもよい。
【符号の説明】
【００５８】
１…マルチプロジェクションシステム、２、２Ａ、２Ｂ、２Ｃ、２Ｄ、２Ｑ…プロジェクター、２１…制御装置、２２…ランプ、２３…リフレクター、２４…光変調装置、２５…投射光学系、２６…プリズム、２７…レンズ、３０…遮光部、３１…遮光板、１０１、１０２、１０３、１０４、…投射画像、１１１、１１２、１１３、１１４…重畳領域、２１１…制御部、２２２…距離センサー、２２７…位置テーブル、４００…遮光板移動制御部（移動制御部）、４０１…投射画像サイズ取得部、４０２…重畳領域範囲取得部、４０３…投射距離取得部、４０４…移動量決定部。
【図１】
2012150260.tif 000003
【図２】
2012150260.tif 000004
【図３】
2012150260.tif 000005
【図４】
2012150260.tif 000006
【図５】
2012150260.tif 000007
【図６】
2012150260.tif 000008
【図７】
2012150260.tif 000009